(57)【要約】【課題】ユーザが意図する表示方向でコンテンツを表示できるようにすること。【解決手段】情報端末１０は、コンテンツを表示する表示部１２と、表示部１２に表示されるコンテンツの表示方向を示す表示情報を取得する表示情報取得部１４と、表示部１２の方向を向いているユーザの顔の画像データを取得する顔データ取得部１５と、画像データに基づいて顔の上下方向を判定する第１判定部１６と、表示情報と、顔の上下方向とに基づいて、表示部１２に表示されているコンテンツの上下方向と顔の上下方向とが一致しているか否かを判定する第２判定部１７と、第２判定部１７により二つの上下方向が一致していないと判定された場合に、コンテンツの上下方向が顔の上下方向と一致するように該コンテンツの表示方向を切り替える表示切替部１８と、を備える。【選択図】図１
2011203860.tif 000002
【特許請求の範囲】
【請求項１】
コンテンツを表示する表示手段と、
前記表示手段に表示されるコンテンツの表示方向を示す表示情報を取得する表示情報取得手段と、
前記表示手段の方向を向いているユーザの顔の画像データを取得する顔データ取得手段と、
前記顔データ取得手段により取得された前記画像データに基づいて前記顔の上下方向を判定する第１判定手段と、
前記表示情報取得手段により取得された前記表示情報と、前記第１判定手段により判定された前記顔の上下方向とに基づいて、前記表示手段に表示されているコンテンツの上下方向と前記顔の上下方向とが一致しているか否かを判定する第２判定手段と、
前記第２判定手段により二つの前記上下方向が一致していないと判定された場合に、前記コンテンツの上下方向が前記顔の上下方向と一致するように該コンテンツの表示方向を切り替える表示切替手段と、
を備える情報端末。
【請求項２】
情報端末の傾きの変化を検出する傾き検出手段を更に備え、
前記傾き検出手段により情報端末の傾きの変化が検出された場合に、前記表示情報取得手段が前記表示情報を取得し、
前記傾き検出手段により情報端末の傾きの変化が検出された場合に、前記顔データ取得手段が前記顔の画像データを取得する、請求項１に記載の情報端末。
【請求項３】
コンテンツを表示する表示手段を備える情報端末により実行される表示切替方法であって、
前記表示手段に表示されるコンテンツの表示方向を示す表示情報を取得する表示情報取得ステップと、
前記表示手段の方向を向いているユーザの顔の画像データを取得する顔データ取得ステップと、
前記顔データ取得ステップにおいて、取得された前記画像データに基づいて前記顔の上下方向を判定する第１判定ステップと、
前記表示情報取得ステップにおいて取得された前記表示情報と、前記第１判定ステップにおいて判定された顔の上下方向とに基づいて、前記表示手段に表示されているコンテンツの上下方向と前記顔の上下方向とが一致しているか否かを判定する第２判定ステップと、
前記第２判定ステップにおいて、二つの前記上下方向が一致していないと判定された場合に、前記コンテンツの上下方向が前記顔の上下方向と一致するように該コンテンツの表示方向を切り替える表示切替ステップと、
を含む表示切替方法。
【発明の詳細な説明】
【技術分野】
【０００１】
本発明は、情報端末及び表示切替方法に関する。
【背景技術】
【０００２】
従来から、情報端末の動きを検出して、画面に表示されているコンテンツの表示を自動的に切り替える機能を備えた情報端末が存在する。例えば、下記特許文献１には、端末内の加速度センサーにより検出された移動通信端末の動きに応じて、画面におけるコンテンツの表示対象領域を変化させる技術が開示されている。
【先行技術文献】
【特許文献】
【０００３】
【特許文献１】特開２００８−２６７９８号公報
【発明の概要】
【発明が解決しようとする課題】
【０００４】
しかしながら、上記特許文献１に記載の端末では、画面の切り替えは、あくまで端末に内蔵された加速度センサーと連動して実行されるだけなので、情報端末の持ち方や置き方に依存して、ユーザが意図しない方向で画面が表示されてしまうことがある。例えば、ユーザが横向きで寝る体勢で画面を見ている時に、表示中のコンテンツの上下方向が重力方向と一致するように表示が切り替わってしまうと、画面の表示態様がユーザの期待しないものになってしまう。
【０００５】
本発明は、上記課題を解決するためになされたものであり、ユーザが意図する表示方向でコンテンツを表示することが可能な情報端末及び表示切替方法を提供することを目的とする。
【課題を解決するための手段】
【０００６】
上記課題を解決するため、本発明の情報端末は、コンテンツを表示する表示手段と、表示手段に表示されるコンテンツの表示方向を示す表示情報を取得する表示情報取得手段と、表示手段の方向を向いているユーザの顔の画像データを取得する顔データ取得手段と、顔データ取得手段により取得された画像データに基づいて顔の上下方向を判定する第１判定手段と、表示情報取得手段により取得された表示情報と、第１判定手段により判定された顔の上下方向とに基づいて、表示手段に表示されているコンテンツの上下方向と顔の上下方向とが一致しているか否かを判定する第２判定手段と、第２判定手段により二つの上下方向が一致していないと判定された場合に、コンテンツの上下方向が顔の上下方向と一致するように該コンテンツの表示方向を切り替える表示切替手段と、を備える。
【０００７】
また、本発明の表示切替方法は、コンテンツを表示する表示手段を備える情報端末により実行される表示切替方法であって、表示手段に表示されるコンテンツの表示方向を示す表示情報を取得する表示情報取得ステップと、表示手段の方向を向いているユーザの顔の画像データを取得する顔データ取得ステップと、顔データ取得ステップにおいて、取得された画像データに基づいて顔の上下方向を判定する第１判定ステップと、表示情報取得ステップにおいて取得された表示情報と、第１判定ステップにおいて、判定された顔の上下方向とに基づいて、表示手段に表示されているコンテンツの上下方向と顔の上下方向とが一致しているか否かを判定する第２判定ステップと、第２判定ステップにおいて、二つの上下方向が一致していないと判定された場合に、コンテンツの上下方向が顔の上下方向と一致するように該コンテンツの表示方向を切り替える表示切替ステップと、を含む。
【０００８】
このような情報端末及び表示切替方法によれば、コンテンツを視聴するユーザの顔の上下方向とコンテンツの上下方向とが一致していないと判定された場合に、コンテンツの表示方向が切り替えられる。このように、ユーザの顔の上下方向に合わせてコンテンツの表示態様を切り替えることで、ユーザが意図する方向でコンテンツを表示できる。
【０００９】
また、本発明の情報端末は、情報端末の傾きの変化を検出する傾き検出手段を更に備え、傾き検出手段により情報端末の傾きの変化が検出された場合に、表示情報取得手段が表示情報を取得し、傾き検出手段により情報端末の傾きの変化が検出された場合に、顔データ取得手段が顔の画像データを取得してもよい。
【００１０】
この場合、情報端末の傾きの変化が検出された場合に限り、表示情報や顔の画像データを取得する。このため、常に表示情報や顔の画像データを取得して上記の判定処理や表示切替処理を実行する場合と比べて情報端末の消費電力を抑えられる。
【発明の効果】
【００１１】
このような情報端末及び表示切替方法によれば、コンテンツを視聴するユーザの顔の上下方向とコンテンツの上下方向とが一致していないと判定された場合に、コンテンツの表示方向が切り替えられる。このように、ユーザの顔の上下方向に合わせてコンテンツの表示態様を切り替えることで、ユーザが意図する方向でコンテンツを表示できる。
【図面の簡単な説明】
【００１２】
【図１】実施形態に係る情報端末の機能構成を示す図である。
【図２】図１に示す情報端末のハードウェア構成を示す図である。
【図３】コンテンツの上下方向とユーザの顔の上下方向とが一致するように、コンテンツの表示方向を切り替える例を示す図である。
【図４】図１に示す情報端末の処理を示すフローチャートである。
【発明を実施するための形態】
【００１３】
以下、添付画面を参照しながら本発明の実施形態を詳細に説明する。なお、図面の説明において同一又は同等の要素には同一の符号を付し、重複する説明を省略する。
【００１４】
図１は、本発明の一実施形態に係る情報端末１０の機能ブロック図である。情報端末１０は、ウェブ上のコンテンツを表示できるブラウザ機能を備える端末である。情報端末１０の例としては携帯電話機や通話機能を有する携帯情報端末が挙げられるが、情報端末１０の種類はこれらに限定されない。図１に示すように、情報端末１０は、機能的構成要素としてコンテンツ記憶部１１、表示部１２、傾き検出部１３、表示情報取得部１４、顔データ取得部１５、第１判定部１６、第２判定部１７、及び表示切替部１８を備えている。
【００１５】
情報端末１０は、図２に示すように、オペレーティングシステムやアプリケーションプログラムなどを実行するＣＰＵ１０１と、ＲＯＭ及びＲＡＭで構成される主記憶部１０２と、メモリなどで構成される補助記憶部１０３と、データ通信を行う通信制御部１０４と、文字入力用のキーで構成される操作部１０５と、液晶モニタ及びスピーカで構成される出力部１０６とを備えている。図１に示す情報端末１０の各機能は、ＣＰＵ１０１及び主記憶部１０２の上に所定のソフトウェアを読み込ませ、ＣＰＵ１０１の制御の下で、通信制御部１０４を動作させ、主記憶部１０２及び補助記憶部１０３に対してデータの読み書きを実行することで実現される。
【００１６】
コンテンツ記憶部１１は、情報端末１０に表示するコンテンツのデータを記憶する部分である。コンテンツデータには、コンテンツが画面に表示された際の当該コンテンツの表示方向（上下方向及び左右方向）を規定する方向情報が埋め込まれている。コンテンツデータは、例えば図示しないサーバから受信したり、ＣＤ−ＲＯＭ等の記憶媒体から読み出されたりした上でコンテンツ記憶部１１に記憶されるが、コンテンツデータの取得方法はこれらに限定されない。
【００１７】
表示部１２は、コンテンツ記憶部１１から読み出したコンテンツデータに基づいてコンテンツを表示する部分である。例えば、ユーザがブラウザアプリケーションをして特定のコンテンツを表示するための操作を行うと、ブラウザを起動し、当該コンテンツのデータをコンテンツ記憶部１１から読み出して表示する。この際に表示部１２は、読み出したコンテンツデータから方向情報を抽出すると共に、表示部１２自体の現在の上下方向を取得する。そして表示部１２は、コンテンツデータの方向情報と取得した表示部１２の上下方向とに基づいて、表示部１２自体の上下方向と表示コンテンツの上下方向とが一致するようにコンテンツを表示する。表示部１２は、表示したコンテンツの表示方向を示す表示情報を生成し保持する。
【００１８】
傾き検出部１３は、情報端末１０の傾きの変化を検出する部分である。傾き検出部１３は、情報端末１０に内蔵された加速度センサーを含んで構成され、情報端末１０が地面に対してどの程度傾いているかを測定する。傾き検出部１３は、情報端末１０の傾きが９０°以上変化したことを検出すると、その変化を示す変化情報を表示情報取得部１４及び顔データ取得部１５に出力する。
【００１９】
表示情報取得部１４は、表示部１２に表示されるコンテンツの表示方向を示す表示情報を取得する部分である。傾き検出部１３から変化情報が入力されると、表示情報取得部１４は、表示部１２が保持している表示情報を取得し、その表示情報を第２判定部１７に出力する。
【００２０】
顔データ取得部１５は、表示部１２の方向を向いているユーザの顔の画像データを取得する部分である。顔データ取得部１５は、情報端末１０の表示部１２と同じ面に設けられたカメラを含んで構成され、傾き検出部１３から変化情報が入力されると、そのカメラによりユーザの顔を撮影する。そして顔データ取得部１５は撮影画像のデータを第１判定部１６に出力する。
【００２１】
第１判定部１６は、顔データ取得部１５により取得された画像データに基づいてユーザの顔の上下方向を判定する部分である。顔の上下方向の判定は、画像データを解析することで抽出した顔のパーツの位置情報に基づいて判定する。例えば、第１判定部１６は取得した画像データからユーザの目や口の位置情報を検出した後に、双方の位置情報を比較し、例えば、画像において目が口よりも左側に位置していれば、画像の左方向を顔の上方向と判定する。但し、顔の上下方向の判定はこれに限定されない。例えば、第１判定部１６は顔の他のパーツの位置関係に基づいて上下方向を判定してもよい。第１判定部１６は、顔の上下方向を示す顔方向情報を第２判定部１７に出力する。
【００２２】
第２判定部１７は、表示情報取得部１４により取得された表示情報と、第１判定部１６から入力された顔方向情報とに基づいて、コンテンツの上下方向と顔の上下方向とが一致しているか否かを判定する部分である。第２判定部１７は、二つの上下方向が一致していないと判定した場合、そのことを示す不一致情報を表示切替部１８に出力する。一方、第２判定部１７は、二つの上下方向が一致していると判定した場合、表示切替部１８に上記情報を出力することなく、処理を終了する。
【００２３】
表示切替部１８は、第２判定部１７によりコンテンツの上下方向と顔の上下方向とが一致していないと判定された場合に、表示部１２に表示されているコンテンツの上下方向がユーザの顔の上下方向と一致するようにコンテンツの表示方向を切り替える部分である。第２判定部１７からの不一致情報が入力されると、表示切替部１８は表示部１２に表示されているコンテンツの表示方向を切り替える。
【００２４】
コンテンツの表示方向を切り替える例を図３に示す。図３に示すように、情報端末１０の表示部１２には、ブラウザ画面にニュースが表示されている。表示部１２と同じ面には、顔データ取得手段１５の一部であるカメラ１５ａが設けられている。図３中の矢印Ａは、このカメラ１５ａにより取得された顔の画像データに基づいて第１判定部１６によって判定されたユーザの顔の上方向を指している。
【００２５】
図３に示すように、コンテンツの表示方向を切り替える前は、表示部１２に表示されているニュース画面の上下方向とそのニュース画面を閲覧するユーザの顔の上下方向とが一致していない。このため、ユーザが意図する方向でコンテンツが表示されていない。一方、コンテンツの表示方向を切り替えた後は、ニュース画面の上下方向とそのニュース画面を閲覧する顔の上下方向とが一致する。このように、ユーザの顔の上下方向に合わせてコンテンツの表示態様を切り替えることで、ユーザが意図する方向でコンテンツを表示できる。なお、表示部１２に表示されるコンテンツは何ら限定されず、ニュース以外に、例えば動画コンテンツであってもよい。
【００２６】
以下、図４に示すフローチャートを用いて、情報端末１０において実行される処理を説明すると共に、本実施形態に係る表示切替方法について説明する。図４は、本実施形態の情報端末１０での処理を示すフローチャートである。なお、コンテンツ記憶部１１には、情報端末１０の表示部１２に表示されるコンテンツのデータが予め記憶されている。
【００２７】
情報端末１０の向きが変化すると、傾き検出部１３により、情報端末１０の傾きの変化が検知され（Ｓ０１、傾き変化検出ステップ）、傾きが変化したことを示す情報が表示情報取得部１４及び顔データ取得部１５に出力される。
【００２８】
表示情報取得部１４は、傾き検出部１３からの情報が入力されると、コンテンツ記憶部１１から表示部１２が保持している表示情報を取得し、その表示情報を第２判定部１７に出力する（Ｓ０２、表示情報判定ステップ）。
【００２９】
一方、顔データ取得部１５は、傾き検出部１３からの情報が入力されると、カメラの電源を入れてユーザの顔を撮影し、取得した撮影画像を第１判定部１６に出力する（Ｓ０３、顔データ取得ステップ）。そして第１判定部１６は、顔データ取得部１５からの撮影画像に基づいてユーザの顔の上下方向を判定し、その上下方向を示す顔方向情報を第２判定部１７に出力する（Ｓ０４、第１判定ステップ）。
【００３０】
第２判定部１７は、表示情報取得部１４からの表示情報と第１判定部１６からの顔方向情報とに基づいて、コンテンツの上下方向と顔の上下方向が一致しているか否かを判定する（Ｓ０５、第２判定ステップ）。第２判定部１７が二つの表示方向が一致していないと判定した場合（Ｓ０５；ＮＯ）、表示切替部１８は表示部１２に表示されているコンテンツの上下方向がユーザの顔の上下方向と一致するようにコンテンツの表示方向を切り替える（Ｓ０６、表示切替ステップ）。一方、第２判定部１７が二つの表示方向が一致していると判定した場合（Ｓ０５；ＹＥＳ）、表示切替部１８は処理を終了する。
【００３１】
以上説明したように、本実施形態の情報端末及び表示切替方法によれば、コンテンツを視聴するユーザの顔の上下方向とコンテンツの上下方向とが一致していないと判定された場合に、ユーザの顔の上下方向に合わせてコンテンツの表示方向が切り替えられる。このように、コンテンツの表示態様を切り替えることで、ユーザが意図する方向でコンテンツを表示できる。
【００３２】
特に、本発明の情報端末は、情報端末の傾きの変化を検出する傾き検出部１３を更に備え、傾き検出手段１３により情報端末１０の傾きの変化が検出された場合に、表示情報取得部１４が表示情報を取得し、傾き検出手段１３により情報端末１０の傾きの変化が検出された場合に、顔データ取得部１５が顔の画像データを取得する。この場合、情報端末１０の傾きの変化が検出された場合に限り、表示情報や顔の画像データを取得する。このため、常に表示情報や顔の画像データを取得して上記判定処理や表示切替処理を実行する場合と比べて情報端末の消費電力を抑えられる。
【００３３】
以上、本発明のその実施形態に基づいて詳細に説明した。しかし、本発明は上記実施形態に限定されるものではない。本発明は、その要旨を逸脱しない範囲で以下のような様々な変形が可能である。
【００３４】
本実施形態の情報端末は、情報端末１０の傾きが変化したことを傾き検出部１３が検知すると、第２判定部１７がユーザの顔とコンテンツの上下方向が一致しているか否かを判定し、必要に応じてコンテンツの表示方向の切替を実行するが、情報端末１０の傾きの変化を検出せずに、上記判定や表示方向の切替を実行してもよい。また、傾き検出部１３が検出する情報端末１０の傾きの変化は、９０°以上に限定されない。情報端末１０の傾きの変化がユーザの設定した任意の角度以上になったときに、上記の判定や表示方向の切替を実行するようにしてもよい。
【符号の説明】
【００３５】
１０…情報端末、１２…表示部、１３…傾き検出部（傾き検出手段）、１４…表示情報取得部（表示情報取得手段）、１５…顔データ取得部（顔データ取得手段）、１６…第１判定部（第１判定手段）、１７…第２判定部（第２判定手段）、１８…表示切替部（表示切替手段）。
【図１】
2011203860.tif 000003
【図２】
2011203860.tif 000004
【図３】
2011203860.tif 000005
【図４】
2011203860.tif 000006